(57)【要約】【課題】多機能端末で多機能ボタン情報と発信者番号との両者の表示を可能にする。【解決手段】基地局（ＣＳ）が、基地局（ＣＳ）から多機能端末（ＰＳ）へ、一斉呼出しチャネルＰＣＨを用いて最初に一斉呼出しする送信情報に多機能端末（ＰＳ）に対する多機能ボタン情報と次回一斉呼出し同期情報とを通知し、次回一斉呼出し同期情報に含まれる同期時期にその一斉呼出し元の発信者番号情報を含ませて送信している。【選択図】図６
2008211453.tif 000002
【特許請求の範囲】
【請求項１】
基地局から多機能ボタンを有する多機能端末を一斉呼出しチャネルＰＣＨで一斉呼出しする無線通信制御方法において、基地局から一斉呼出しする送信情報に多機能端末に対する多機能ボタン情報と次回一斉呼出し同期情報とを含み、当該次回一斉呼出し同期情報に含まれる同期時期にその発信者番号情報を送信することを特徴とする無線通信制御方法。
【請求項２】
請求項１に記載の無線通信制御方法において、次回一斉呼出し同期時期は前記一斉呼出しの次のビットから３２ビット目までの一つとすることを特徴とする無線通信制御方法。
【請求項３】
請求項１に記載の無線通信制御方法において、次回一斉呼出し同期時期は前記一斉呼出しチャネルＰＣＨとは別チャネルの一つとすることを特徴とする無線通信制御方法。
【請求項４】
基地局から多機能ボタンを有する多機能端末を一斉呼出しチャネルＰＣＨで一斉呼出しする無線通信制御方式において、前記基地局が、スーパーフレームで一斉呼出しする際に送信情報に多機能端末に対する多機能ボタン情報と次回一斉呼出し同期情報とを含んで送出し、当該次回一斉呼出し同期情報に含まれる同期時期に一斉呼出し元の発信者番号情報を送出する手段を備えることを特徴とする無線通信制御方式。
【請求項５】
請求項４に記載の無線通信制御方式において、前記次回一斉呼出し同期時期は、前記一斉呼出しの次のビットから３２ビット目までの一つとすることを特徴とする無線通信制御方式。
【請求項６】
請求項４に記載の無線通信制御方式において、前記次回一斉呼出し同期時期は、前記一斉呼出しチャネルＰＣＨとは別のチャネルの一つとすることを特徴とする無線通信制御方式。
【請求項７】
請求項４に記載の無線通信制御方式において、前記多機能端末は、スーパーフレームの一斉呼出しチャネルＰＣＨで一斉呼出しを受けた際に受付けの情報から前記次回一斉呼出し同期時期を抽出し、当該同期時期に再度受付けした一斉呼出しから所定の発信者番号を抽出して画面の所定位置に表示する手段を有することを特徴とする無線通信制御方式。
【請求項８】
基地局から多機能ボタンを有する多機能端末を一斉呼出しチャネルＰＣＨで一斉呼出しする無線通信制御方式において、前記多機能端末が、スーパーフレームの一斉呼出しチャネルＰＣＨで一斉呼出しを受けた際に受付けの情報から次回一斉呼出し同期時期を抽出し、当該同期時期に再度受付けした一斉呼出しから所定の発信者番号を抽出して画面の所定位置に表示する手段を有することを特徴とする無線通信制御方式。
【発明の詳細な説明】
【技術分野】
【０００１】
本発明は、自営のネットワークでＰＨＳ（パーソナル・ハンディフォン・システム）に用いる端末が多機能ボタンを搭載する場合の発信者番号通知サービスの提供が容易な無線通信制御方式に関するものである。
【背景技術】
【０００２】
無線通信制御方式としては、図1に示されるように、基地局（ＣＳ）１と無線チャネルで接続される複数の端末（ＰＳ）２により構成される。自営のネットワークでは、ＰＨＳが多用されている。このＰＨＳでは、論理制御チャネルＬＣＣＨを用いて報知制御チャネルＢＣＣＨ、一斉呼出しチャネルＰＣＨおよび個別セル用チャネルＳＣＣＨなどが基地局１から端末２への下りチャンネルで送信される。報知制御チャネルＢＣＣＨは例えば２４０ｍｓなどの間隔を有するスーパーフレームを論理制御チャネルＬＣＣＨで形成する。また、一斉呼出しチャネルＰＣＨには、着呼呼出しまたは接続応答および無線チャネル指定が含まれる。
【０００３】
従って、端末２は、通常、システム立ち上げ時に報知制御チャネルＢＣＣＨを受信したのち、電池の消耗を防止のため、スリープ状態となり、一斉呼出しチャネルＰＣＨのみの間欠受信状態となる。すなわち、図２に示されるように、一斉呼出しチャネルＰＣＨは上述したスーパーフレーム間隔で受信される。また、端末２は、例えば一斉呼出しの着呼呼出しを受けた際に起動状態となり、間欠受信状態から連続受信状態に変化して、それまで受信していなかったチャネルも続けて受信する。
【０００４】
構内ＰＨＳシステムにおける一斉呼出しチャネルＰＣＨのデータ領域は、図３に示されるように、７オクテットである。
【０００５】
一方、ＰＨＳにおける端末２は、近年、図４に示されるような多機能端末が広く使用されてきている。図示される多機能端末２は、文字等の表示器２１、６個のランプ付き多機能ボタンを有する多機能ボタン領域２２、および主としてダイヤル発信で用いるキーパッドのダイヤルボタン領域２３を有する。多機能ボタンは、ランプとして通常ＬＥＤ（発光ダイオード）を有し、外線の使用状態を表示できるので、ユーザは外線それぞれの使用状況を把握することができる。例えば、その外線の使用状態が、通話中の場合には点灯、保留中の場合には遅い点滅、着信中の場合には早い点滅、または、未使用で消灯となっている。
【０００６】
図２に示される一斉呼出しチャネルＰＣＨのデータ領域には、一般端末に対する制御情報に加えて、上記多機能ボタンのランプ点灯および鳴動音の指示などの制御情報が含まれる。多機能端末２では、最初の一斉呼出しで多機能ボタン対応の制御情報が必要である。しかし、データ領域が７オクテットしかないので、一般端末で従来含まれていた最大１３桁の多数ビットを必要とする発信者番号を含めることができない。すなわち、多機能端末の場合、表示器２１に発信者番号を表示することができない。
【０００７】
【特許文献１】特開２００４−９６１４４
【特許文献２】特開２００５−２６８８９４
【発明の開示】
【発明が解決しようとする課題】
【０００８】
解決しようとする課題は、構内ＰＨＳシステムに多機能端末を使用した場合、多機能端末で多機能ボタン情報と発信者番号との両者を同時に表示できないことである。
【課題を解決するための手段】
【０００９】
本発明は、多機能ボタンを有する端末であっても、一斉呼出しで多機能ボタン情報と発信者番号との両者の通知を受けて表示することを目的とする。このため、本発明によるＰＨＳシステムは、基地局から多機能ボタンを有する多機能端末を一斉呼出しチャネルＰＣＨで一斉呼出しする際に発信者番号情報を送信し、端末に表示するものである。そして、その発明は、基地局から一斉呼出しする送信情報に、多機能端末に対する多機能ボタン情報と次回一斉呼出し同期情報とを含み、当該次回一斉呼出し同期情報に含まれる同期時期にその一斉呼出しの発信者番号情報を送信することを主要な特徴とする。
【００１０】
具体的には、基地局は、スーパーフレームで一斉呼出しする際に送信情報に多機能端末に対する多機能ボタン情報と次回一斉呼出し同期情報とを含んで送出し、当該次回一斉呼出し同期情報に含まれる同期時期に一斉呼出し元の発信者番号情報を送出する手段を備える。一方の多機能端末は、スーパーフレームの一斉呼出しチャネルＰＣＨで一斉呼出しを受けた際に受付けの情報から次回一斉呼出し同期時期を抽出し、当該同期時期に再度受付けした一斉呼出しから所定の発信者番号を抽出して画面の所定位置に表示する手段を有する。
【００１１】
このように、一斉呼出しが二回にわたるのでそのデータ領域が拡張される。従って、一斉呼出しで多機能ボタン情報と発信者番号との両者の通知が可能になるので、多機能端末において、時差はあるが、ほぼ同時に可聴可視の多機能にわたる表示が可能である。
【００１２】
上記次回一斉呼出し同期時期は前記一斉呼出しの次のビットから３２ビット目までの一つとすることが、ほぼ同時の表示のために望ましい。また、上記次回一斉呼出しを一斉呼出しチャネルＰＣＨ以外のチャネルとすることもできる。
【発明の効果】
【００１３】
本発明による無線通信制御方式は、基地局から一斉呼出しする送信情報に、多機能端末に対する多機能ボタン情報と次回一斉呼出し同期情報とを含み、当該次回一斉呼出し同期情報に含まれる同期時期にその一斉呼出しの発信者番号情報を送信している。そのため、多機能ボタン情報と発信者番号との両者の通知がほぼ同時に可能になるので、多機能端末で一方のみの表示になることが回避できる。
【発明を実施するための最良の形態】
【００１４】
本発明の目的は、多機能端末で多機能ボタン情報と発信者番号との両者の表示を可能にすることである。この目的を、基地局から一斉呼出しする送信情報に、多機能端末に対する多機能ボタン情報と次回一斉呼出し同期情報とを含み、当該次回一斉呼出し同期情報に含まれる同期時期にその一斉呼出しの発信者番号情報を送信することにより実現した。
【００１５】
以下に、図面を参照して実施態様を説明する。ここで、図１の端末２は多機能端末２と呼称する。また、具体的な数字等を図示して説明するが、本発明の趣旨に基づく限りその変更は自由であり、下記の説明が本発明を限定するものではない。
【実施例１】
【００１６】
本発明の実施例１について図１から図７までを併せ参照して説明する。
【００１７】
図１から図３までは、上述したので、その説明は省略する。
【００１８】
図５は、本実施例において、スーパーフレームの一斉呼出しチャネルＰＣＨで一斉呼出しする際に使用するデータ領域の実施の一形態をテーブルで示す説明図である。ＰＨＳでの一斉呼出しには、図示されるように、７オクテットのうち、第１オクテットの第５から第７ビットまでが呼び出しサービス種別に用いられる。本発明では更に、第２オクテットの第４から第８ビットまでの５ビットを用いて次期の同期時期を示す次期同期情報が挿入される。次期同期情報には、上述した５ビットにより３２ビットまでの次期同期時期が設定できる。従って、次期同期時期には、その間の空きビット位置が指定できる。１ビット当たり５ｍｓであれば最大１６０ｍｓの遅れで一斉呼出しによる発信者番号情報が基地局１から送出される。
【００１９】
図６は、本発明で、同一のＬＣＣＨスーパーフレームにおいて、次期同期時期を７ビット目とした場合の一斉呼出し同期を示した説明図である。図６では、多機能ボタン情報と次期同期情報とを含む最初の一斉呼出しチャネルＰＣＨでの一斉呼出しを「Ａ」点で受付けしたＰＨＳの多機能端末２は、間欠受信から連続受信に状態移行し、次期同期情報で指定された「Ｂ」点を次期同期時期として発信者番号を受付けする。
【００２０】
上述した最初の一斉呼出しでは、呼出しサービス種別以外の領域に多機能ボタン情報が挿入されるので、多機能端末２では、図７で示される表示器２１における番号を除く例えば「着信中」という文字による可視表示と、多機能ボタン領域２２の着呼外線対応ボタンの「点灯」というＬＥＤ（発光ダイオード）による可視表示と、着信音の鳴動という可聴表示とが発生する。次いで、受付けする発信者番号情報により、多機能端末２では、図７で示されるように表示器２１に「着信中」に加えて発信者番号、例えば「0123456789」が文字で可視表示される。
【００２１】
このような形態を採用したので、基地局からの一斉呼出しチャネルＰＣＨでの一斉呼出しを多機能端末が受付けできる構成を有することにより、多機能端末で多機能ボタン情報と発信者番号との両者の表示を容易に可能にしている。
【実施例２】
【００２２】
本発明の実施例２について説明する。
【００２３】
上記実施例では、ＬＣＣＨスーパーフレームの一つで一斉呼出しチャネルＰＣＨでの一斉呼出しの際における次期同期情報が、このＬＣＣＨにおける一斉呼出しチャネルＰＣＨにより通知されている。しかし、本実施例では、一斉呼出しチャネルＰＣＨとは別のチャネルを用いて次期同期情報を通知することができる。
【００２４】
その結果、他の基地局からの電波妨害を防ぐことができる。
【産業上の利用可能性】
【００２５】
基地局から一斉呼出しチャネルＰＣＨを用いて最初に一斉呼出しする送信情報に、多機能端末に対する多機能ボタン情報と次回一斉呼出し同期情報とを含み、次回一斉呼出し同期情報に含まれる同期時期にその一斉呼出し元の発信者番号情報を送信する手段を用いて容易にほぼ同時に多機能ボタン情報と発信者番号情報とを基地局から多機能端末に通知することができる。このような手段を用いることにより、一斉呼出しのデータ領域では不足となる情報も十分に送信できるので、基地局から多機能端末への情報が増加した際の用途に適用できる。
【図面の簡単な説明】
【００２６】
【図１】無線通信制御方式に適用の一形態をブロックで示した説明図である。
【図２】無線通信制御方式のＬＣＣＨスーパーフレームにおける一斉呼出しの一形態をタイムチャートで示した説明図である。
【図３】図２における一斉呼出しのデータ領域に適用の一形態をテーブルで示した説明図である。
【図４】無線通信制御方式に使用される多機能端末の一形態を正面図で示した説明図である。
【図５】本発明による一斉呼出しのデータ領域に適用の一形態をテーブルで示した説明図である。（実施例１）
【図６】本発明による無線通信制御方式のＬＣＣＨスーパーフレームにおける一斉呼出しの一形態をタイムチャートで示した説明図である。（実施例１）
【図７】本発明による無線通信制御方式に使用される多機能端末の一形態を正面図で示した説明図である。（実施例１）
【符号の説明】
【００２７】
１    基地局
２    端末
２１    表示器
２２    多機能ボタン領域
２３    ダイヤルボタン領域
【図１】
2008211453.tif 000003
【図２】
2008211453.tif 000004
【図３】
2008211453.tif 000005
【図４】
2008211453.tif 000006
【図５】
2008211453.tif 000007
【図６】
2008211453.tif 000008
【図７】
2008211453.tif 000009